(57)【特許請求の範囲】
【請求項１】
１台の送信機に１台以上の撮像手段を配し得る画像監視システムであって、
各撮像手段の後段に、増幅分配器を設け、
前記増幅分配器の後段に、静止画像圧縮手段及び動画像圧縮手段をそれぞれ設け、
前記静止画像圧縮手段の後段にフレームメモリ、及び前記動画像圧縮手段の後段にバッファメモリを設け、
前記フレームメモリへは、圧縮された静止画像データが循環的に記録されており、前記撮像手段が撮像した動画像データを前記バッファメモリから取り込みセンタへ送信している状態において、センサが非常検出信号を出力すると、
前記フレームメモリへ指示して、該センサ出力信号を認識してから所定時間後に前記フレームメモリを書き込み禁止の状態とするとももに、
前記バッファメモリからの動画像データの取り込みを止め、前記フレームメモリに記録された所定時刻から所定時刻までの所定枚数の静止画像データをセンタへ送信することを特徴とする画像記録方式。
【発明の詳細な説明】
【０００１】
【発明の属する技術分野】
本発明は、画像監視システムにおいて、静止画（像）と動画（像）の両方のデータを撮像手段毎に指定して記録しておくことができる画像記録方式に関する。
【０００２】
【従来の技術】
従来、画像監視システムの監視カメラにおいて、撮影モードを動画と静止画とで切り替えられる方式が知られていた。
画像による監視システムでは、例えば４台のカメラを１台の送信機に設置できるものがある。従来、このようなシステムにおいて、動画と静止画の両方の撮影モードを取り得るようにするには、各カメラの後段に、動画と静止画の両方を圧縮できるチップ（ＬＳＩ）を設置しておくことが行われていた。つまり、４台のカメラの後段に、一台の動画／静止画圧縮手段が設置されていた。逆に言えば、一台の送信機に何台のカメラを配し得るかは、この動画／静止画圧縮手段が何台のカメラからの映像信号に対応しているかによるわけである。
従来、動画／静止画圧縮手段は、動画モードと静止画モードを同時には取り得ず、よって、カメラ毎の動画モードと静止画モードの指定はできす、４台のカメラの動画モードと静止画モードは、一斉に切り替えられていた。
【０００３】
従来、監視システムの送信機側の全カメラが動画モードに設定されており、ある一台のカメラからの動画像を電話回線を介して受信機（センタ）へ送信している最中、別のカメラの撮像範囲を不審人物が通って行くなどして、センサが異常を検出したとしても、全部のカメラが動画モードになっているので、該不審人物を該カメラで静止画で記録しておくことはできなかった。
【０００４】
【発明が解決しようとする課題】
本発明は、従来の技術の有する問題点に鑑み、為されたもので、監視システムにおいて、一台の送信機に配線し得るカメラ毎に静止画（像）撮影モードと動画（像）撮影モードを指定して切り替えることができる画像記録方式を提供することにある。
【０００５】
【課題を解決するための手段】
本発明に係わる画像記録方式は、１台の送信機に１台以上の撮像手段を配し得る画像監視システムにおける画像データのメモリ方式において、上記した従来の技術の有する問題点を解決したもので、次のようなものである。
各撮像手段の後段に、増幅分配器を設け、前記増幅分配器の後段に、静止画像圧縮手段及び動画像圧縮手段をそれぞれ設け、前記静止画像圧縮手段及び前記動画像圧縮手段のそれぞれの後段に、画像データを記録する記憶媒体をそれぞれ設けたものである。
【０００６】
【発明の実施の形態】
１台の送信機に４台の監視カメラを配したものとして、本発明に係わる画像監視システムにおける画像データの記録方式を説明する。
各カメラの後段に、それぞれ増幅分配器を設ける。つまり、増幅分配器は、４台必要である。但し、この４台の増幅分配器を１台にまとめて、１台の増幅分配器で４台のカメラに対応するようにしてもよい。増幅分配器は、従来の技術で知られているもので充分であり、映像信号が減衰しないように、増幅するととともに、二つに分岐させる。
【０００７】
前記各増幅分配器の後段には、静止画像圧縮手段及び動画像圧縮手段をそれぞれ設ける。静止画像圧縮手段及び動画像圧縮手段としては種々の方式のものが知られているが、何を使っても良い。市販のＬＳＩチップを使っても良い。
対を為す、つまり一つの増幅分配器の後段の静止画像圧縮手段及び動画像圧縮手段へは、同じカメラからの同じ映像信号がそれぞれ入力してくることになる。
【０００８】
各静止画像圧縮手段及び各動画像圧縮手段のそれぞれの後段には、画像データを記録する記憶媒体をそれぞれ設ける。前記静止画像圧縮手段の後段の記憶媒体には、静止画像が循環的に記録され、前記動画像圧縮手段の後段の前記記憶媒体は、従来通りバッファの役目をする。
前記記憶媒体というのは、具体的には、（フレーム）メモリ（ＲＡＭ）やハードディスク装置のことである。
【０００９】
【実施例】
図１は、本発明に係わる画像記録方式の一実施例を示すブロック図である。
図１で示されている各ブロックは、画像監視システムの送信機（図示せず）側の構成要素の一部である。送信機側のシステムを構成する種々のブロックのうち、本発明に係わりのあるブロックを図示している。
撮像手段としては、一般的なビデオカメラ（以後カメラと称する）を使っている。当然、カメラ（１ａ〜１ｄ）が出力する映像信号がアナログの場合は、増幅分配器（２ａ〜２ｄ）と静止画像圧縮手段（３ａ〜３ｄ）の間、及び増幅分配器（２ａ〜２ｄ）と動画像圧縮手段（４ａ〜４ｄ）の間に、Ａ／Ｄ変換器を設けなければならないが、図が煩雑になるので、図示はしていない。
【００１０】
本発明において、静止画（像）及び動画（像）とも、どの圧縮方式を採用するかは、当業者の設計上の選択事項である。静止画像圧縮手段（３ａ〜３ｄ）としては、例えばＪＰＥＧ規格に準拠した市販のＬＳＩチップを、動画像圧縮手段（４ａ〜４ｄ）としては、例えばＨ２６１規格に準拠した市販のＬＳＩチップを使うことができる。
静止画像圧縮手段（３ａ〜３ｄ）で圧縮された画像信号（フレームデータ）は、記憶媒体であるフレームメモリ（５ａ〜５ｄ）に循環的に記録される。つまり、ＣＰＵ９が書き込み停止を指示しない限り、上書きされ続ける。
【００１１】
図１において、ＣＰＵ９からフレームメモリ（５ａ〜５ｄ）への制御線は図示していないが、フレームメモリ（５ａ〜５ｄ）がＣＰＵ９の制御の基にあることは、通常の監視システムにおける送信機と同様である。
【００１２】
動画像圧縮手段（４ａ〜４ｄ）で圧縮された動画の画像データは、バッファメモリ（６ａ〜６ｄ）及びＩ／Ｏ８を介して、ＣＰＵ９が取り込むことができる。ＣＰＵ９は、監視システムのセンタ（図示せず）からの指令または予め設定する所定の信号、例えば監視システムに設けられる何らかのセンサからの検出信号に基づいて、任意のカメラからの映像信号を動画像圧縮データとして、Ｉ／Ｏ８を制御することにより、自身へ入力させることができる。
【００１３】
同様に、ＣＰＵ９は、任意のカメラからの映像信号を静止画像圧縮データとして、Ｉ／Ｏ７を制御することにより、自身へ入力させることができる。
ＣＰＵ９がフレームメモリ（５ａ〜５ｄ）またはバッファメモリ（６ａ〜６ｄ）からＩ／Ｏ（７、８）を介して取り込んだ静止画データまたは動画データは、例えばモデム及び電話回線などを経てセンタへ送信される。
【００１４】
各カメラ（１ａ〜１ｄ）から出力される映像信号に対する処理は、皆同様なので、ここでは、カメラ１ａとその後段のブロックを取り上げて、本発明の実施例の説明をさらに続けることにする。
【００１５】
図２は、本発明に係わる画像記録方式の一実施例を示すブロック図である。
この図２では、図１のように、画像データ取り込みのためのインタフェース手段であるＩ／Ｏ（７、８）を置かず、ＣＰＵ９が直接フレームメモリ５ａ及びバッファメモリ６ａを制御する構成を示している。
今、フレームメモリ５ａへは、圧縮された静止画像データが記録されており、バッファメモリ６ａからカメラ１ａが撮像した動画像データを圧縮した動画像データをＣＰＵ９がデータバス１０を介して入力させているものとする。
もちろん、ＣＰＵ９は、他のカメラ（１ｂ〜１ｄ）からの動画像データを他のバッファメモリ（６ｂ〜６ｄ）から入力させている状態であってもよい。しかし、ここでは、ＣＰＵ９は、バッファメモリ６ａへ指示してカメラ１ａが撮影した動画像データを取り込み、センタへ送信しているものとする。
【００１６】
このような状態のとき、カメラ１ａに対応しているセンサ１１ａが非常検出信号を（Ｉ／Ｏ１２へ）出力したとする。ＣＰＵ９は、Ｉ／Ｏ１２から出力され、自身へ入力してきた信号がカメラ１ａに対応しているセンサ１１ａからのものであると認識すると、フレームメモリ５ａへ指示して、該センサ出力信号を認識してから所定時間後に、フレームメモリ５ａを書き込み禁止の状態とする。
なお、このＩ／Ｏ１２は、一般のマイクロコンピュータシステムが具備する外部機器のための通常の入出力インタフェース装置である。
センサ１１ａが非常検出信号を出力したことは、当然センタへも通知される。センタからの指示に基づき、またはＣＰＵ９の判断で、ＣＰＵ９は、バッファメモリ６ａからの動画像データの取り込みを止め、フレームメモリ５ａに記録された所定時刻から所定時刻までの所定枚数の静止画像（フレーム）データをセンタへ送信する。
【００１７】
他のカメラ（１ｂ〜１ｄ）に対応するセンサ（図示せず）からの非常検出信号が出力されれば、ＣＰＵ９は、対応するカメラ及びフレームメモリの静止画データをセンタへ送信することができることは明らかである。
【００１８】
また、図１及び図２のいずれの構成においても、カメラ（１ａ〜１ｄ）毎に、動画像データを出力させるのか、静止画像データを出力させるのかをＣＰＵ９は制御できる。
ＣＰＵ９がセンタへ一時に送信できるのは、どれか一つのカメラが撮像した静止画データか動画データであるが、ＣＰＵ９は、その一時に送信する画像データをカメラ毎に指定できるということである。
【００１９】
静止画像データは、センタへ送信されていないときでも、非常時以外は常時、フレームメモリ（５ａ〜５ｄ）に記録されているので、ＣＰＵ９が動画像データを取り込んでいようが、静止画像データを取り込んでいようが、ＣＰＵ９は、非常検出信号を出力したセンサに対応するカメラからの静止画像データの記録を停止させるとともに、センタへ送信することができる。
【００２０】
【発明の効果】
本発明は、以上説明したように構成されているので、以下に記載する効果を奏する。
各カメラの後段に増幅分配器（２ａ〜２ｄ）を設け、カメラ（１ａ〜１ｄ）からの映像信号を二つに分け、それぞれの映像信号を、一方は静止画像として圧縮記録し、もう一方は動画像として圧縮記録するようにしたので、監視システムの送信機側の制御手段であるＣＰＵ９の指示により一台の送信機に配線し得るカメラ毎に静止画（像）撮影モードと動画（像）撮影モードを指定して切り替えることができる画像記録方式を提供することが可能である。
【図面の簡単な説明】
【図１】本発明に係わる画像記録方式の一実施例を示すブロック図
【図２】本発明に係わる画像記録方式の一実施例を示すブロック図
【符号の説明】
１ａ〜１ｄ  カメラ
２ａ〜２ｄ  増幅分配器
３ａ〜３ｄ  静止画像圧縮手段
４ａ〜４ｄ  動画像圧縮手段
５ａ〜５ｄ  フレームメモリ
６ａ〜６ｄ  バッファメモリ
７、８  Ｉ／Ｏ（入出力インタフェース装置）
９  ＣＰＵ（制御手段）
１０  データバス
１１ａ  センサ
１２  （センサ用）Ｉ／Ｏ
【図１】
0003799564.tif 000002
【図２】
0003799564.tif 000003